(57)【特許請求の範囲】
【請求項１】
建物の外壁から張り出した庇部の本体の外周縁部を覆って設けられた庇パラペットカバーを備えた庇パラペットカバー設置構造であって、
前記本体の前記外周縁部に取り付けられたガイド支持ブラケットと、
前記庇パラペットカバーに一体的に設けられ、前記ガイド支持ブラケットに対し、上下方向と、水平方向で前記外周縁部に直交する方向と、に係合される一方で、水平方向で前記外周縁部に沿う方向にスライド可能に支持されるスライド部と、
を備え、
前記庇パラペットカバーが、前記スライド部と前記ガイド支持ブラケットとを係合させて前記本体に固定され、
前記庇パラペットカバーは、前記本体の前記外周縁部の正面を覆う側板部と、前記側板部の上端から前記本体側に延びる上側フランジ部と、前記側板部の下端から前記本体側に延びる下側フランジ部と、を備え、
前記上側フランジ部と前記本体との間に水切部材が介在され、
前記上側フランジ部が前記水切部材に固定部材により上方から固定され、前記水切部材が前記本体の前記外周縁部の上面に固定部材により上方から固定されている
ことを特徴とする庇パラペットカバー設置構造。
【請求項２】
請求項１に記載の庇パラペットカバー設置構造において、
前記ガイド支持ブラケットは、前記本体に固定され、かつ、上方に開口され、前記外周縁部に沿う方向を向いたスリットを備え、
前記庇パラペットカバーの前記スライド部は、前記スリットに挿入され、前記本体に沿って延在されたリブである
ことを特徴とする特徴とする庇パラペットカバー設置構造。
【請求項３】
請求項１または請求項２に記載の庇パラペットカバー設置構造において、
前記建物は、直交する第１壁面と第２壁面とで形成された入隅部を備え、
前記本体は、前記入隅部の、前記第１壁面との間に空間部を介して配置されて前記第２壁面に固定され、
前記ガイド支持ブラケットは、前記第１壁面に対向する位置の前記外周縁部に設けられ、かつ、前記庇パラペットカバーが、前記空間部に配置されている
ことを特徴とする庇パラペットカバー設置構造。
【請求項４】
請求項１〜請求項３のいずれか１項に記載の庇パラペットカバー設置構造の設置方法であって、
前記庇部の前記本体に前記ガイド支持ブラケットを固定する工程と、
前記庇パラペットカバーの前記スライド部を、前記ガイド支持ブラケットに係合させた後、前記スライド部を前記ガイド支持ブラケットに対してスライドさせながら前記庇パラペットカバーを前記本体の前記外周縁部に沿ってスライドさせて所定の位置に配置し、前記庇パラペットカバーを前記ガイド支持ブラケットによる係合で仮固定する工程と、
前記庇パラペットカバーの前記上側フランジ部を前記水切部材に前記固定部材により本固定し、さらに、前記水切部材を前記本体に前記固定部材により本固定する設置工程と、
を備えることを特徴とする庇パラペットカバー設置方法。
【請求項５】
上部の略水平な板状の支持板部と、下部の略水平な板状の取付片と、前記取付片の一端から立ち上げられて前記取付片を前記支持板部の一端とを一体に連結する立上片とにより断面略Ｚ状に形成された庇パラペットカバーのガイド支持ブラケットであって、
前記支持板部から上方にガイド片が立ち上げられ、
前記ガイド片は、上方に開口され、下方と前記略水平の方向で前記Ｚ状の断面に沿う方向に閉じられたスリットが形成されている
ことを特徴とする庇パラペットカバーのガイド支持ブラケット。
【請求項６】
請求項５に記載の庇パラペットカバーのガイド支持ブラケットにおいて、
前記ガイド片は、前記支持板部から前記Ｚ状の断面に沿う方向に立ち上げられている
ことを特徴とする庇パラペットカバーのガイド支持ブラケット。
【請求項７】
請求項５または請求項６に記載の庇パラペットカバーのガイド支持ブラケットにおいて、
前記取付片は、前記Ｚ状の断面に沿う方向の端縁部から下方に折り曲げられたフランジを備える
ことを特徴とする庇パラペットカバーのガイド支持ブラケット。
【請求項８】
建物の外壁から張り出した庇部の本体の外周縁部を覆う庇パラペットカバーであって、
前記本体の前記外周縁部の正面を覆う側板部と、前記側板部の上部から前記本体の方向に略水平に延びる上側フランジ部と、前記側板部の下部から前記本体の方向に略水平に延びる下側フランジ部と、前記側板部の上下方向の中間に前記本体の方向に凹状に形成されて前記側板部の延在方向に沿って形成された溝部と、前記溝部の下面の裏面の中間部から下方に突出されたリブと、を備える
ことを特徴とする庇パラペットカバー。
【請求項９】
請求項８に記載の庇パラペットカバーにおいて、
前記下側フランジ部は、立上片を有する
ことを特徴とする庇パラペットカバー。
【請求項１０】
請求項５〜請求項７のいずれか１項に記載のガイド支持ブラケットを用いて請求項８または請求項９に記載の庇パラペットカバーを建物の外壁から張り出した庇部の本体の外周縁部を覆って設置する庇パラペットカバー設置構造であって、
前記側板部の前記リブと、前記ガイド支持ブラケットの前記スリットとを係合させて前記庇部の前記本体に固定されている
ことを特徴とする庇パラペットカバー設置構造。
【発明の詳細な説明】
【技術分野】
【０００１】
本発明は、玄関ポーチの庇パラペットカバー設置構造および庇パラペットカバーの設置方法に関するものである。
【背景技術】
【０００２】
従来から建物の屋根材の軒先の鼻隠し部分に複数の庇パラペットを並べて設けたものが知られている（例えば、特許文献１、特許文献２参照）。
この庇パラペットは、軒先に取り付けた固定ブラケットに、リベットなどの固定部材を用いて固定することで、軒先に設置されている。
また、建物の玄関部分の外側に、庇および床を備えた玄関ポーチを設けたものも知られている（例えば、特許文献３、特許文献４参照）。
さらに、玄関ポーチの庇部の外周を囲んで設けられた枠部材に、庇パラペットを設置した構造も知られている（例えば、特許文献５）。
この従来技術では、平面形状の四角形の枠体の、一方の枠体を建物に固定し、三方の枠体の前面側に取付部材を設け、庇パラペットを取付部材に固定し、庇部材の枠体を庇パラペットで覆った構造となっている。
【先行技術文献】
【特許文献】
【０００３】
【特許文献１】特開２００２−１０６１２８号公報
【特許文献２】実開平６−４４８９８号公報
【特許文献３】特開２００１−１３２０９３号公報
【特許文献４】実開平６−６７６３４号公報
【特許文献５】特開２００３−２３２０９８号公報
【発明の概要】
【発明が解決しようとする課題】
【０００４】
ところで、玄関ポーチを、建物の入隅部に設ける場合などのように、庇部と建物との間の空間部の寸法を十分に確保できない場合がある。
この場合、建設時であれば、玄関ポーチを建物に取り付ける前に、予め庇パラペットを玄関ポーチの庇部に取り付けた上で、建物に取り付けることで、庇パラペットの設置が可能となる。
【０００５】
しかしながら、建物の補修時や改築時、あるいは建設時であっても、玄関ポーチの庇部を建物に固定した状態とした後に、庇パラペットを庇部に設置する場合に、庇パラペットを取り付けることができなかった。
【０００６】
そこで、本発明は、玄関ポーチの庇部の外方に、庇パラペットを取り付けるのに十分な作業空間が確保されていなくても、庇パラペットを取り付け可能な玄関ポーチの庇パラペットカバー設置構造および庇パラペットカバーの設置方法を提供することを目的としている。
【課題を解決するための手段】
【０００７】
前記目的を達成するために、本発明の玄関ポーチの庇パラペットカバー設置構造は、
建物の外壁から張り出して設けられた庇部を備えた玄関ポーチと、前記庇部の本体の外周縁部を覆って設けられた庇パラペットカバーと、を備えた玄関ポーチの庇パラペットカバー設置構造であって、
前記本体の前記外周縁部に取り付けられたガイド支持ブラケットと、
前記庇パラペットカバーに一体的に設けられ、前記ガイド支持ブラケットに対し、上下方向と、水平方向で前記外周縁部に直交する方向と、に係合される一方で、水平方向で前記外周縁に沿う方向にスライド可能に支持されるスライド部と、
を備え、
前記庇パラペットカバーが、前記スライド部と前記ガイド支持ブラケットとを係合させて前記本体に固定されていることを特徴とする玄関ポーチの庇パラペットカバー設置構造とした。
【０００８】
また、前記ガイド支持ブラケットは、前記本体に固定され、かつ、上方に開口され、前記外周縁部に沿う方向を向いたスリットを備え、前記庇パラペットカバーの前記スライド部は、前記スリットに挿入され、前記本体に沿って延在されたリブである構造とするのが好ましい。
さらに、前記建物は、直交する第１壁面と第２壁面とで形成された入隅部を備え、前記本体は、前記入隅部の、前記第１壁面との間に空間部を介して配置されて前記第２壁面に固定され、前記ガイド支持ブラケットは、前記第１壁面に対向する位置の前記外周縁部に設けられ、かつ、前記庇パラペットカバーが、前記空間部に配置された構造としてもよい。
そして、前記庇パラペットカバーは、前記本体の前記外側縁部の正面を覆う側板部と、前記側板部の上端から前記本体側に延びる上側フランジ部と、前記側板部の下端から前記本体側に延びる下側フランジ部と、を備え、前記庇パラペットカバーは、前記上側フランジ部を上方から取り付ける固定部材により前記本体に固定されている構造とするのが好ましい。
さらに、前記上側フランジ部と前記本体との間に水切部材が介在され、前記上側フランジ部が前記水切部材に前記固定部材により上方から固定され、前記水切部材が前記本体の前記外周縁部の上面に前記固定部材により上方から固定されている構造としてもよい。
【０００９】
また、本発明の玄関ポーチの庇パラペットカバー設置方法は、
前記庇部の前記本体に前記ガイド支持ブラケットを固定する工程と、
前記庇パラペットカバーのスライド部を、前記ガイド支持ブラケットに係合させた後、前記スライド部を前記ガイド支持ブラケットに対してスライドさせながら前記庇パラペットカバーを前記本体の前記外周縁部に沿ってスライドさせて所定の位置に配置し、前記庇パラペットカバーを前記ガイド支持ブラケットによる係合で仮固定する工程と、
前記庇パラペットカバーを前記本体に固定部材により本固定する設置工程と、
を備えることを特徴とする。
【発明の効果】
【００１０】
本発明では、庇パラペットカバーの設置時には、庇パラペットカバーに一体的に設けられたスライド部を、本体の外周縁部に取り付けられたガイド支持ブラケットに係合させて、庇部の本体に沿ってスライドさせることにより、庇パラペットカバーを本体の所望の位置に配置し、本体に支持することができる。
よって、庇部が、建物の入隅部に配置した場合のように、本体の外周縁部の正面側から庇パラペットカバーを取り付けるのに十分なスペースが無い場合でも、庇パラペットカバーの設置が可能となる。
また、スライド部を庇パラペットカバーと一体のリブとし、ガイド支持ブラケットにリブと係合するスリットを設けた構造とすれば、庇パラペットカバーと係合しスライドガイドする構成の製造が容易であり、製造コスト低減を図ることができる。加えて、リブを用いて、スライドの連続的なガイドと、スライド時の安定化を図ることができる。
【００１１】
さらに、庇部を建物の入隅部に設け、庇部と入隅部の第２壁面との空間部が狭い構造である場合でも、上記のように庇パラペットカバーの設置が可能となる。
そして、庇パラペットカバーの上側フランジ部を上方から固定部材により本体の外周縁部に固定するものでは、固定部材による固定作業が上方からの作業となるため、本体の外周縁部の正面側に、庇パラペットカバーの固定作業を行うための十分なスペースが確保されていない場合でも、確実に固定作業を行うことができる。
また、上側フランジ部と本体との間に水切部材を介在させた構造では、上側フランジ部が、本体から離間し、直接本体に固定できない構造であっても、水密性を保ちながら、上側フランジ部を本体に固定することができる。また、その場合も、固定部材による固定作業が上方からの作業であり、本体の外周縁部の正面側に、庇パラペットカバーの固定作業を行うための十分なスペースが確保されていない場合でも、確実に固定作業を行うことができる。
【００１２】
また、本発明の玄関ポーチのパラペットカバーの設置方法では、庇パラペットカバーを本体の外周縁部に沿って所定位置までスライドさせ、ガイド支持ブラケットにより本体に仮固定し、その後、庇パラペットカバーを本体に固定部材により本固定するため、庇部が、建物の入隅部に配置した場合のように、本体の外周縁部の正面側から庇パラペットカバーを取り付けるのに十分なスペースが無い場合でも、庇パラペットカバーの設置が可能となる。
【図面の簡単な説明】
【００１３】
【図１】本発明の実施の形態１の玄関ポーチの庇パラペットカバー設置構造およびその設置方法を適用したユニット建物の概略を示す平面図である。
【図２】前記ユニット建物の玄関ポーチの庇部の断面図であって、図１のＳ２−Ｓ２線における断面を示す。
【図３】実施の形態１の玄関ポーチの庇パラペットカバー設置構造において、庇パラペットを取り付ける前の玄関ポーチの庇部の本体を示す斜視図である。
【図４】図３に示す庇部の本体にガイド支持ブラケットを取り付けた状態を示す斜視図である。
【図５】図４に示す庇部の本体に対し庇パラペットカバー２３（ｃ）をスライドさせて取り付ける工程のスライド途中を示す斜視図である。
【図６】図５に示す庇パラペットカバー２３（ｃ）にキャップ部材２３６を取り付ける工程を示す斜視図である。
【図７】図６に示す庇パラペットカバー２３（ｃ）を仮止めした庇部の本体に、水切前部材３１０、水切袖部材３２０、水切袖カバー３３０を取り付ける工程を説明するための斜視図である。
【図８】図６に示す庇パラペットカバー２３（ｃ）を仮止めした庇部の本体に、水切前部材３１０、水切袖部材３２０、水切袖カバー３３０を取り付けた状態を示す斜視図である。
【図９】水切袖カバーの位置決めを行う位置決めガイド３５１，３５２を示す側面図である。
【図１０】水切前部材３１０と水切袖部材３２０との間のコーキング材の塗布状態を示す斜視図である。
【図１１】図８に示す庇パラペットカバー２３（ｃ）、水切前部材３１０、水切袖部材３２０、水切袖カバー３３０を取り付けた庇部の本体に、庇パラペットカバー２３（ａ）を取り付ける工程を示す斜視図である。
【図１２】図１１に示す庇部の本体に、庇パラペットカバー２３（ｂ）を取り付ける工程を示す斜視図である。
【図１３】庇部の本体に庇パラペットカバー２３（ｂ）（庇パラペットカバー２３（ａ））を取り付けた状態を示す断面図である。
【図１４】庇部の本体に各庇パラペットカバーを取り付けた後に行うコーキング作業を示す斜視図である。
【図１５】実施の形態の他の例を示す概略図である。
【発明を実施するための形態】
【００１４】
以下、本発明の実施の形態について図面を参照して説明する。
（実施の形態１）
まず、実施の形態１の玄関ポーチのパラペットカバー設置構造の構成を説明する。
図１は、本実施の形態１の玄関ポーチのパラペットカバー設置構造およびその設置方法を適用したユニット建物ＵＨの概略を示す平面図である。
【００１５】
まず、図１を参照しながらユニット建物ＵＨの構成から説明する。
このユニット建物ＵＨは、建物本体１と玄関ポーチ２とを備える。
建物本体１は、複数の建物ユニット１０を上下方向および水平方向に連結して構成される。なお、各建物ユニット１０において水平方向で特定の位置に配置されたものを指す場合には、図示した（ａ）（ｂ）（ｃ）の符号を付して特定する。
なお、建物ユニット１０は、図示は省略するが、周知のように、金属製の床梁と天井梁と柱とをボックス状に接合して形成されるラーメン構造体である。
【００１６】
また、建物本体１は、建物ユニット１０（ｂ）の外壁面１０ｂａ（第１壁面）と、建物ユニット１０（ｃ）の外壁面１０ｃａ（第２壁面）とが直交して形成される入隅部１１を備える。
玄関ポーチ２は、建物本体１の入隅部１１において、建物ユニット１０（ｃ）の外壁面１０ｃａに固定され、かつ、外壁面１０ｃａから水平方向に張り出して配置されている。また、この玄関ポーチ２は、建物ユニット１０（ｂ）の外壁面１０ｂａとの間に空間部３を介して配置されている。
【００１７】
また、玄関ポーチ２は、建物ユニット１０（ｃ）の外壁面１０ｃａから水平方向に張り出された庇部２１と、この庇部２１を下方から支持する支柱（図示省略）とを備えている。なお、図示を省略した支柱は、庇部２１の下方に配置された玄関土間（図示省略）から上方に立ち上げられている。
【００１８】
次に、玄関ポーチ２の庇部２１において、建物ユニット１０（ｂ）の外壁面１０ｂａと、空間部３を挟んで対向する部分の構成を説明する。
庇部２１は、本体２２と、庇パラペットカバー２３とを備えている。
ここで、本実施の形態１では、既存の本体２２に、新規に庇パラペットカバー２３を取り付けたものである。
例えば、ユニット建物ＵＨが経年劣化しリフォームを行うのにあたり、庇部２１にあっては、本体２２の外周に新たに庇パラペットカバー２３を設置して、外観品質の向上を図った場合にこのような構造を採用する。また、このようなケースとしては、庇部２１において既存の庇パラペットカバーを取り外して、新たな庇パラペットカバー２３と交換する場合や、既存の本体２２の外周縁部が劣化したため、その上から新規に庇パラペットカバー２３を設置する場合がある。
【００１９】
次に、本体２２の構成を説明する。
本体２２は、図２に示すように、枠体２１０と軒天井２４と屋根面材２５とを備えている。
枠体２１０は、図３に示すように、軒先側枠２１１と軒元側枠２１４と、これら軒先側枠２１１と軒元側枠２１４との長手方向両端部に一体的に結合された側方枠２１２，２１３と、により四角枠状に形成されている。
なお、図３において、矢印ＦＲが庇部２１の軒先方向を示し、矢印ＲＲが外壁面１０ｃａの方向である軒元の方向を示しており、これらの方向を、以下、前後方向とも称する。
また、図３において矢印ＷＳが、外壁面１０ｂａの方向を示し、この方向を入隅方向とも称する。さらに、この入隅方向を含み、前後方向に直交する方向を左右方向と称する。
【００２０】
各枠２１１〜２１４は、図２に側方枠２１２を代表して示すように、側板部２１５と下側フランジ部２１６と上側フランジ部２１７とにより、略横Ｊ状に形成されている。
側板部２１５は、枠体２１０の水平方向の外側面を形成する。なお、側板部２１５は、図示のように、「へ」の字を、縦にした断面形状に形成されている。
下側フランジ部２１６は、側板部２１５の下端部から庇部２１の内側方向に折曲されている。なお、下側フランジ部２１６の先端部には、上方に略Ｕ字状に折り返した上方折曲部２１６ａを備える。
上側フランジ部２１７は、側板部２１５の上端部から庇部２１の内側方向に折曲されている。また、上側フランジ部２１７の先端部には、下方に折曲された下方折曲部２１７ａを備える。
なお、他の各枠２１１，２１３，２１４も、図示は省略するが、上述した側板部２１５と同様に、側板部２１５、下側フランジ部２１６、上側フランジ部２１７を有する。
【００２１】
軒天井２４は、その外周端縁部を、各枠２１１〜２１４の下側フランジ部２１６の上方折曲部２１６ａに載置された状態で、下側フランジ部２１６に接着、あるいは、ビス、螺子などの固定具により固定されている。
屋根面材２５は、外周縁部に立ち上げられた立上フランジ部２５１を、各枠２１１〜２１４の下方折曲部２１７ａに螺子２５２により固定されている。
【００２２】
庇パラペットカバー２３は、前述したリフォームに伴い、既存の本体２２に対して追加した部材である。
庇パラペットカバー２３は、図１４に示すように、軒先側の庇パラペットカバー２３（ａ）と、その左右両側であって、開放された側の庇パラペットカバー２３（ｂ）と、入隅側（空間部３側）の庇パラペットカバー２３（ｃ）と、を備える。
なお、各庇パラペットカバー２３（ａ）〜（ｃ）は、これらのうちの特定のものを指す場合には、符号２３の後に位置に対応した（ａ）（ｂ）（ｃ）の符号を付すが、特定のものを指さない場合は、単に２３と表記する。
【００２３】
庇パラペットカバー２３は、枠体２１０に設置される。
すなわち、軒先側の庇パラペットカバー２３（ａ）は、図１１に示すように、平面視で略コの字形状に形成され、枠体２１０の軒先側枠２１１に水切前部材３１０を介して設置され、かつ、左右両端部は、側方枠２１２，２１３の軒先方向の先端部に支持される。
【００２４】
庇パラペットカバー２３（ｂ）は、枠体２１０の側方枠２１３に水切袖部材３２０を介して設置される。
入隅側の庇パラペットカバー２３（ｃ）は、枠体２１０の側方枠２１２に、図２に示す水切袖カバー３３０およびガイド支持ブラケット３４０を介して設置される。
【００２５】
次に、各庇パラペットカバー２３と枠体２１０との間に介在される水切前部材３１０、水切袖部材３２０、水切袖カバー３３０について説明する。
水切前部材３１０は、図７に示すように、金属板状の水切カバー３１１と、この水切カバー３１１の下面から吊り下げ状態で水切カバー３１１に上端部をビスなどの固定具により固定された金属板状の固定ブラケット３１２，３１２，３１２と、を備えている。
また、水切カバー３１１は、下板部３１１ａと上板部３１１ｂとにより、上下に段差を有した形状に形成されている。そして、固定ブラケット３１２は、上板部３１１ｂの下面に固定されている。
【００２６】
水切前部材３１０は、図８に示すように、水切カバー３１１の下板部３１１ａを軒先側枠２１１の上側フランジ部２１７に載置し、上方からドリルビス２７により固定される。
また、固定ブラケット３１２の下端部は、軒先正面側からドリルビス２７により軒先側枠２１１の側板部２１５の下端部に固定される。
【００２７】
なお、軒先側の庇パラペットカバー２３（ａ）は、図１２に示すように、上方からドリルビス２７により水切カバー３１１に固定され、かつ、軒先正面側からドリルビス２７により固定ブラケット３１２（図示省略）に固定されて軒先側枠２１１に設置される。
【００２８】
水切袖部材３２０は、図７に示すように、水切前部材３１０と同様に、金属板状の水切カバー３２１と、この水切カバー３２１の下面から吊り下げ状態で水切カバー３２１に上端部をビスなどの固定具により固定された金属板状の固定ブラケット３２２，３２２，３２２と、を備えている。
また、水切カバー３２１は、下板部３２１ａと上板部３２１ｂとにより、上下に段差を有した形状に形成されている。そして、固定ブラケット３２２は、上板部３２１ｂの下面に固定されている。
そして、水切袖部材３２０は、図８に示すように、水切カバー３２１を側方枠２１３の上側フランジ部２１７に載置し、上方からドリルビス２７により固定される。
また、固定ブラケット３２２の下端部は、軒先正面側からドリルビス２７により側方枠２１３の側板部２１５の下端部に固定される。これにより、固定ブラケット３２２は、図１３に示すように、側方枠２１３の側板部２１５の正面方向位置に略垂直に配置される。なお、前述した水切前部材３１０の固定ブラケット３１２も、この固定ブラケット３２２と同様に、軒先側枠２１１の側板部２１５の正面方向位置に略垂直に配置される。
【００２９】
なお、庇パラペットカバー２３（ｂ）は、図１２に示すように、上方からドリルビス２７により水切カバー３２１に固定され、かつ、側方からドリルビス２７により固定ブラケット３２２に固定されて側方枠２１３に設置される。
【００３０】
水切袖カバー３３０は、金属板により形成され、図２に示すように、下板部３３１と上板部３３２とにより、上下に段差を有した形状に形成されている。
そして、水切袖カバー３３０は、庇部２１の内側方向側端部をドリルビス２７により固定され、庇部２１の外方側端部を空間部３に突き出して配置されている。
【００３１】
次に、入隅側の庇パラペットカバー２３（ｃ）の構成および、庇パラペットカバー２３（ｃ）の設置に用いるガイド支持ブラケット３４０について説明する。
ガイド支持ブラケット３４０は、支持板部３４１とガイド部３４２とを備えている。
支持板部３４１は、側方枠２１２の下側フランジ部２１６に沿う取付片３４１ａと、側板部２１５の下部に沿う立上部３４１ｂと、を備えている。そして、取付片３４１ａが、ドリルビス２７により下方から下側フランジ部２１６に固定されている。
【００３２】
ガイド部３４２は、図４に示すように、支持板部３４１の立上部３４１ｂの上端部に連続して形成されて略水平に延在された支持板３４２ａと、この支持板３４２ａから立ち上げられたガイド片３４２ｂと、を備えている。
そして、ガイド片３４２ｂには、上方に開口を有したスリット３４２ｃが上下方向に延在して形成されている。
なお、ガイド支持ブラケット３４０は、図４に示すように、側方枠２１２の２箇所に設置されている。
【００３３】
また、庇パラペットカバー２３（ｃ）は、図２に示すように、側板部２３１と上側フランジ部２３２と下側フランジ部２３３とを備えている。
側板部２３１の上下方向の中間部に内側（本体側）に凹んだ溝部２３４が形成されている。
さらに、溝部２３４の下側の外周面には、リブ２３５が下方に突出され、かつ、側板部２３１の全長に亘って延在されている。
そして、このリブ２３５は、ガイド支持ブラケット３４０のガイド片３４２ｂのスリット３４２ｃに挿入されている。
また、下側フランジ部２３３の先端は、上方に立ち上げられた立上片２３３ａが形成されている。
【００３４】
なお、前述した庇パラペットカバー２３（ａ）、２３（ｂ）も、庇パラペットカバー２３（ｃ）と連続した一定の外観形状となるように、同様の断面形状を有し、側板部２３１、上側フランジ部２３２、下側フランジ部２３３、溝部２３４、リブ２３５を備える。
【００３５】
（実施の形態１の玄関ポーチのパラペットカバーの設置方法）
以下に、実施の形態１の玄関ポーチのパラペットカバーの設置構造を実現するための設置方法を、順を追って説明する。
【００３６】
＜ガイド支持ブラケット取付工程＞
まず、庇部２１の既存部分である本体２２において、入隅部１１の外壁面１０ｂａに面した側方枠２１２に庇パラペットカバー２３（ｃ）を取り付ける。
ここで、図１に示すように、玄関ポーチ２の庇部２１と、建物ユニット１０（ｂ）の外壁面１０ｂａとの間の空間部３の間隔は狭く、側方枠２１２に対して、外壁面１０ｂａの側から庇パラペットカバー２３（ｃ）の取付作業を行うことを可能とする寸法を有していない。
【００３７】
そこで、庇パラペットカバー２３（ｃ）の取り付けは、空間部３に対して、軒先方向から（前方から）挿入する。
この挿入のため、まず、上述のように側方枠２１２にガイド支持ブラケット３４０を取り付ける。
このガイド支持ブラケット３４０の取り付けは、図４に示すように、側方枠２１２において長手方向（前後方向）に間隔を開けた２箇所に取り付ける。
なお、このガイド支持ブラケット３４０の取り付けにあたっては、側方枠２１２における長手方向の取付位置を正確に計測し、位置決め用の目印（図示省略）を設けた上で行う。
【００３８】
そして、このガイド支持ブラケット３４０の取り付けでは、ガイド支持ブラケット３４０を、空間部３に対して下方から挿入し、図２に示すように、支持板部３４１を側方枠２１２の側板部２１５に沿わせるとともに、取付片３４１ａを、側方枠２１２の下側フランジ部２１６に当接させる。
【００３９】
これにより、ガイド支持ブラケット３４０の上下方向および左右方向の位置が、側板部２１５と下側フランジ部２１６とにより規定される。
この状態で、取付片３４１ａを、下方からドリルビス２７により下側フランジ部２１６に固定する。
このように、ガイド支持ブラケット３４０の取付作業は、庇部２１の下方からの作業となるため、空間部３の左右方向の幅が狭い場合でも、この取付作業を容易に実行可能である。
【００４０】
＜入隅側の庇パラペットカバー挿入工程＞
次に、入隅側の庇パラペットカバー２３（ｃ）を空間部３に対して、軒先側（空間部３の前方）から挿入する。
このとき、図２に示すように、庇パラペットカバー２３（ｃ）のリブ２３５を、ガイド支持ブラケット３４０のガイド部３４２のスリット３４２ｃに挿入し、上下方向および左右方向の位置を規制した状態で、庇パラペットカバー２３（ｃ）を側方枠２１２に沿って図５の矢印ＳＳ方向にスライドさせる。
【００４１】
図５、図６は、庇パラペットカバー２３（ｃ）を空間部３に挿入途中の状態を示しており、図５は、庇パラペットカバー２３（ｃ）が１つ目のガイド支持ブラケット３４０を通過し、２つ目のガイド支持ブラケット３４０を通過する手前の位置の状態を示す。
図６は、庇パラペットカバー２３（ｃ）をさらに空間部３の奥まで挿入し、２つ目のガイド支持ブラケット３４０を通過した状態を示す。
【００４２】
図６に示すように、庇パラペットカバー２３（ｃ）が２つ目のガイド支持ブラケット３４０を通過したら、庇パラペットカバー２３（ｃ）を空間部３の最も奥まで挿入する前に、キャップ部材２３６を取り付ける。
すなわち、庇パラペットカバー２３（ｃ）の奥側端面は、溝部２３４よりも上側部分がキャップ部２３７により覆われている。一方、庇パラペットカバー２３（ｃ）の奥側端面の溝部２３４よりも下方部分は、上述のガイド支持ブラケット３４０との相対スライドが可能なように開口している。
そこで、この開口部分を２つのガイド支持ブラケット３４０が通過したら、この開口部分をキャップ部材２３６により塞ぐ。
【００４３】
このキャップ部材２３６は、その上部を、リベット２８を用いて、キャップ部２３７に固定する。また、側部および下部は、詳細な図示は省略するが、挿入方向に立設した側部リブ２３６ａ、下部リブ（図示省略）にコーキング材２９を塗布して、側板部２３１および下側フランジ部２３３に接着するとともに、シール性を確保する。
その後、庇パラペットカバー２３（ｃ）を、空間部３の最も奥まで挿入し、庇パラペットカバー２３（ｃ）の挿入工程を終える。
【００４４】
以上のように、庇パラペットカバー２３（ｃ）の挿入は、空間部３の軒先側（前方）からの作業である。
このため、側方枠２１２と外壁面１０ｂａとの間の空間部３の左右方向の間隔が狭くても、庇パラペットカバー２３（ｃ）を、空間部３に挿入して、側方枠２１２に取り付けることができる。
さらに、庇パラペットカバー２３（ｃ）のスライド時に、ガイド支持ブラケット３４０のスリット３４２ｃによりその位置を規制されるため、庇部２１（側方枠２１２）に対して、高い位置精度で設置することが可能である。
【００４５】
＜水切カバー取付工程＞
次に、庇部２１の枠体２１０に水切前部材３１０、水切袖部材３２０、水切袖カバー３３０を取り付ける。
【００４６】
この取付工程では、まず、図７の矢印ＳＣに示すように、枠体２１０の側方枠２１２と、庇パラペットカバー２３（ｃ）の上側フランジ部２３２との間に、水切袖カバー３３０を取り付け、両者２１２、２３２との間の隙間を塞ぐ。
この場合、図２に示すように、水切袖カバー３３０の下板部３３１を、側方枠２１２の上側フランジ部２１７の上面に重ね、水切袖カバー３３０の上板部３３２を、庇パラペットカバー２３（ｃ）の上側フランジ部２３２の下側に重ね、位置決めする。
【００４７】
この位置決めは、水切袖カバー３３０に設けられた位置決めガイド３５１、３５２により行う。
図９に示すように、位置決めガイド３５１は、水切袖カバー３３０の上板部３３２と下板部３３１との裏面に跨って取り付けられ、側方枠２１２の側板部２１５に当接して左右方向の位置決めを行うガイド片３５１ａを備えている。
位置決めガイド３５２は、下板部３３１の軒先側端部から立ち上げられて上板部３３２との間にコーナ部を形成するとともに、軒先側枠２１１から軒先側および内側に突き出す水切ジョイナー部３３３の裏側に設けられ、軒先側枠２１１の側板部２１５に当接して軒先方向の位置決めを行うガイド片３５２ａを備えている。
【００４８】
次に、図７に示すように、水切袖部材３２０を、枠体２１０の側方枠２１３の上側フランジ部２１７に上方から重ねて位置決めし仮置きする。
なお、水切カバー３２１には、上記の水切袖カバー３３０の位置決めガイド３５１，３５２と同様の位置決めガイド（図示を省略）が設けられており、この位置決めガイド（図示を省略）を用いて位置決めを行う。
また、水切カバー３２１には、上述の水切袖カバー３３０の水切ジョイナー部３３３と同様に、軒先側および内側に突き出した水切ジョイナー部３２１ｃが設けられている。
【００４９】
次に、図１０に示すように、水切袖部材３２０の水切カバー３２１に設けられた水切ジョイナー部３２１ｃに、コーキング材２９を塗布する。また、水切袖カバー３３０の水切ジョイナー部３３３においても、図示は省略するが、同様にコーキング材２９を塗布する。
【００５０】
次に、水切前部材３１０の水切カバー３１１を、水切袖部材３２０の水切カバー３２１の水切ジョイナー部３２１ｃおよび水切袖カバー３３０の水切ジョイナー部３３３に対して上方から重ね、軒先側枠２１１に水切前部材３１０を位置決めして仮置きする。
なお、水切前部材３１０の位置決めは、水切カバー３１１に設けた前述の位置決めガイド３５１と同様の位置決めガイド（図示省略）により前後方向の位置決めを行う。また、左右方向の位置決めは、水切カバー３１１の左右両端部を、水切カバー３２１の水切ジョイナー部３２１ｃおよび水切袖カバー３３０の水切ジョイナー部３３３に突き当てることにより行う。
【００５１】
次に、仮置きした水切前部材３１０、水切袖部材３２０、水切袖カバー３３０を、枠体２１０に固定する。
この固定は、図８に示すように、ドリルビス２７を上方からねじ込んで水切カバー３１１、３２１および水切袖カバー３３０を、枠体２１０に固定する（図１３参照）。なお、各ドリルビス２７の頭部の周囲に、コーキング材２９を塗布する（図１０参照）。
また、各固定ブラケット３１２、３２２の下端部に対して、ドリルビス２７を側方から締結して、各固定ブラケット３１２、３２２を枠体２１０に固定する（図１３参照）。
以上の手順で、水切前部材３１０、水切袖部材３２０、水切袖カバー３３０の枠体２１０への固定作業を終える。
【００５２】
＜庇パラペットカバー設置工程＞
庇パラペットカバー設置工程では、まず、軒先側の庇パラペットカバー２３（ａ）と、庇部２１の開放側の側部（右側）の庇パラペットカバー２３（ｂ）を装着する。その後、両庇パラペットカバー２３（ａ）、２３（ｂ）を、先に取り付けた入隅側の庇パラペットカバー２３（ｃ）と共に本体２２に対して固定する。
【００５３】
この庇パラペットカバー設置工程において、まず、図１１に示すように、軒先側の庇パラペットカバー２３（ａ）を軒先側から矢印ＳＡ方向に移動させて枠体２１０に対して装着する。
この庇パラペットカバー２３（ａ）は、本体２００の左右に側部カバー２０１を備えた平面視略コの字状に形成されている。
そして、本体２００は、軒先側枠２１１に装着し、側部カバー２０１は、側方枠２１２，２１３の軒先側の先端部に装着する。また、側部カバー２０１の先端部には、他の一般部よりも外周寸法を上下左右に僅かに小さな寸法に形成した挿入部２０１ａを備える。
【００５４】
この庇パラペットカバー２３（ａ）の枠体２１０への装着時には、本体２００は、上側フランジ部２３２を、水切前部材３１０の水切カバー３１１の上板部３１１ｂの上面の上側に重ね、下側フランジ部２３３の立上片２３３ａを、軒先側枠２１１の下側フランジ部２１６の下側に配置する（図１３参照）。
【００５５】
また、側部カバー２０１は、側方枠２１２，２１３を上下から挟むように装着する。
すなわち、上側フランジ部２３２を、水切袖カバー３３０の上板部３３２上面の上側に重ね、下側フランジ部２３３の立上片２３３ａを、側方枠２１２の下側フランジ部２１６の下側に配置する。
なお、側部カバー２０１の挿入部２０１ａは、庇パラペットカバー２３（ｃ）の内側に挿入する。
以上のように、コの字状の庇パラペットカバー２３（ａ）を、軒先側枠２１１、側方枠２１２，２１３の外周を囲むように装着するため、庇パラペットカバー２３（ａ）を枠体２１０に対して仮固定できる。
【００５６】
次に、庇パラペットカバー２３（ｂ）を、側方枠２１３に対して、図１２の矢印ＳＲの方向である図において庇部２１の右方向から装着する。さらに、このとき、下側フランジ部２３３の立上片２３３ａを、側方枠２１３の下側フランジ部２１６の下面に突き当て、立上片２３３ａを支点として、矢印ＳＲ２に示すように回動させ、上側フランジ部２３２を、水切カバー３２１の上板部３２１ｂの上面の上側に重ねる。その際、庇パラペットカバー２３（ｂ）の軒先側の先端部は、側部カバー２０１の挿入部２０１ａの外周を覆い、挿入部２０１ａが、庇パラペットカバー２３（ｂ）の内側に挿入された状態とする。
以上の作業により、庇パラペットカバー２３（ｂ）を枠体２１０に対して仮固定する。
【００５７】
次に、仮固定状態の各庇パラペットカバー２３（ａ），２３（ｂ），２３（ｃ）を、ドリルビス２７により、本体２２に固定する。
すなわち、各庇パラペットカバー２３（ａ），２３（ｂ），２３（ｃ）の上側フランジ部２３２に対して、図１２に示すように、ドリルビス２７を上方からねじ込み、それぞれ、水切カバー３１１、３２１、水切袖カバー３３０に固定する。
【００５８】
このとき、庇パラペットカバー２３（ｃ）の上側フランジ部２３２のドリルビス２７による固定は、上方からドリルビス２７をねじ込む作業であるため、空間部３に作業用スペースが無い場合であっても、上側フランジ部２３２の固定作業を実施することができる。
【００５９】
また、各庇パラペットカバー２３（ａ），２３（ｂ）は、側板部２３１に対して、側方からドリルビス２７をねじ込み、それぞれ、固定ブラケット３１２、３２２に固定する。
なお、庇パラペットカバー２３（ｃ）の側板部２３１は、図２に示すように、ガイド支持ブラケット３４０により位置規制されているため、ドリルビス２７による固定は行わない。
最後に、図１４に示すように、水切部分の合わせ目に隙間なくコーキング材２９を塗布し、庇パラペットカバー２３の設置を終了する。
【００６０】
（実施の形態１の効果）
以下に、実施の形態１の玄関ポーチのパラペットカバーの設置構造およびその設置方法の効果を列挙する。
１）実施の形態１の玄関ポーチのパラペットカバーの設置構造は、
ユニット建物ＵＨの外壁面１０ｃａから張り出して設けられた庇部２１を備えた玄関ポーチ２と、
庇部２１の本体２２の外周縁部を覆って設けられた庇パラペットカバー２３と、
を備えた玄関ポーチの庇パラペットカバー設置構造であって、
本体２２の外周縁部としての側方枠２１２に取り付けられたガイド支持ブラケット３４０と、
庇パラペットカバー２３（ｃ）に一体的に設けられ、ガイド支持ブラケット３４０に対し、上下方向と、水平方向で側方枠２１２に直交する方向（左右方向）と、に係合される一方で、水平方向で外周縁に沿う方向（前後方向）にスライド可能に支持されるスライド部としてのリブ２３５と、
を備え、
庇パラペットカバー２３（ｃ）が、リブ２３５とガイド支持ブラケット３４０とを係合させて本体２２の側方枠２１２に固定されていることを特徴とする。
したがって、庇パラペットカバー２３（ｃ）に設けたリブ２３５をガイド支持ブラケット３４０に対して前後方向に相対スライドさせることにより、庇パラペットカバー２３（ｃ）を側方枠２１２に沿ってスライドさせて、所望の位置に配置するとともに、この位置で庇パラペットカバー２３（ｃ）をガイド支持ブラケット３４０により支持することができる。
よって、庇部２１が、ユニット建物ＵＨの入隅部１１において空間部３を介して配置されて、庇パラペットカバー２３（ｃ）を、本体２２の外壁面１０ｂａの方向から取り付けることができない場合でも、空間部３に沿ってスライドさせて設置することが可能となる。
【００６１】
２）実施の形態１の玄関ポーチのパラペットカバーの設置構造は、
ガイド支持ブラケット３４０は、本体２２の側方枠２１２に固定され、かつ、上方に開口され、側方枠２１２に沿う方向（前後方向）を向いたスリット３４２ｃを備え、
庇パラペットカバー２３（ｃ）のリブ２３５は、スリット３４２ｃに挿入され、側方枠２１２に沿って延在されていることを特徴とする。
このように、庇パラペットカバー２３（ｃ）をスライド可能に支持する構造として、スリット３４２ｃとリブ２３５との簡単な構造を用いたため、製造容易であり、コスト低減を図ることができる。
また、リブ２３５は、側方枠２１２に沿って延在したため、庇パラペットカバー２３（ｃ）のスライドガイドを連続的行うことができ、スライド時に高い安定性を得ることができる。
【００６２】
３）実施の形態１の玄関ポーチのパラペットカバーの設置構造は、
ユニット建物ＵＨは、直交する第１壁面としての外壁面１０ｂａと第２壁面としての外壁面１０ｃａとで形成された入隅部１１を備え、
本体２２は、入隅部１１の、外壁面１０ｂａとの間に空間部３を介して配置されて外壁面１０ｃａに固定され、
ガイド支持ブラケット３４０は、外壁面１０ｂａに対向する位置の外周縁部としての側方枠２１２に設けられ、かつ、庇パラペットカバー２３（ｃ）が、空間部３に配置されていることを特徴とする。
したがって、入隅部１１において空間部３に、庇パラペットカバー２３（ｃ）を外壁面１０ｂａ側から取り付けるのに十分なスペースを有していない場合でも、庇パラペットカバー２３（ｃ）の設置が可能となる。
【００６３】
４）実施の形態１の玄関ポーチのパラペットカバーの設置構造は、
庇パラペットカバー２３（ｃ）は、本体２２の外側縁部の側方枠２１２の正面を覆う側板部２３１と、側板部２３１の上端から本体２２側に延びる上側フランジ部２３２と、側板部２３１の下端から本体２２側に延びる下側フランジ部２３３と、を備え、
庇パラペットカバー２３（ｃ）は、上側フランジ部２３２を上方から取り付ける固定部材としてのドリルビス２７により本体２２の側方枠２１２に固定されていることを特徴とする。
したがって、庇パラペットカバー２３（ｃ）を所定の位置までスライドさせた後のドリルビス２７による固定作業は、庇部２１の上方からの作業となるため、空間部３に十分な作業用スペースが確保されていない場合でも、固定作業を行うことができる。
【００６４】
５）実施の形態１の玄関ポーチのパラペットカバーの設置構造は、
上側フランジ部２３２と本体２２の側方枠２１２との間に水切部材としての水切袖カバー３３０が介在され、
上側フランジ部２３２が水切袖カバー３３０にドリルビス２７により上方から固定され、水切袖カバー３３０が本体２２の側方枠２１２の上面にドリルビス２７により上方から固定されていることを特徴とする。
したがって、庇パラペットカバー２３（ｃ）と本体２２との間に開口を有している場合でも、水切袖カバー３３０により開口を覆って水密性を確保することを可能とするとともに、上記４）のように、庇パラペットカバー２３（ｃ）の固定作業を庇部２１の上方からの作業として、空間部３に十分な作業スペースが無い場合でも、庇パラペットカバー２３（ｃ）の固定を可能とすることができる。
【００６５】
６）実施の形態１の玄関ポーチのパラペットカバーの設置方法は、
庇部２１の本体２２にガイド支持ブラケット３４０を固定する工程と、
庇パラペットカバー２３（ｃ）のスライド部としてのリブ２３５を、ガイド支持ブラケット３４０に係合させた後、ガイド支持ブラケット３４０に対してスライドさせながら庇パラペットカバー２３（ｃ）を本体２２の外周縁部としての側方枠２１２に沿ってスライドさせて所定の位置に配置し、庇パラペットカバー２３（ｃ）をガイド支持ブラケット３４０による係合で仮固定する工程と、
庇パラペットカバー２３（ｃ）を本体２２に固定部材としてのドリルビス２７により本固定する設置工程と、
を備えることを特徴とする。
したがって、上記１）のように、本体２２の側方枠２１２の正面側に、庇パラペットカバー２３（ｃ）を正面側から取り付けるのに十分なスペースが無い場合でも、庇パラペットカバー２３（ｃ）の設置を可能とする。
【００６６】
以上、図面を参照して、本発明の実施の形態を詳述してきたが、具体的な構成は、この実施の形態又は実施例に限らず、本発明の要旨を逸脱しない程度の設計的変更は、本発明に含まれる。
【００６７】
例えば、実施の形態では、建物としてユニット建物ＵＨを例に説明したが、これに限定されるものではなく、本発明は、在来工法などによって構築される建物にも適用することができる。
また、実施の形態では、庇部を建物の入隅部に設けた例を示したが、これに限定されず、庇部の周縁に、他の建築物や樹木などの障害物により、庇パラペットカバーを設置するのに十分なスペースが確保できない場合にも適用可能である。
また、実施の形態では、庇パラペットカバーをスライドさせ固定する構造として、ガイド支持ブラケットに設けたスリットと庇パラペットカバーに設けたリブとを示したが、これに限定されない。例えば、スリットと庇パラペットカバーを設ける対象を逆にしてもよい。あるいは、これ以外にも、図１５に示すような雄側のレール状の部材１０１と、これに嵌り合う雌状のレール状の部材１０２とを用いてもよい。この場合、スライド方向に直交する方向には、全周に亘って移動を規制するため、スライド時の安定性能および取付時の固定性能が向上する。
【符号の説明】
【００６８】
２      玄関ポーチ
１０    建物ユニット
１０ｂａ外壁面（第１壁面）
１０ｃａ外壁面（第２壁面）
１１    入隅部
２１    庇部
２２    本体
２３（ｃ）庇パラペットカバー
２７    ドリルビス（固定部材）
２１２  側方枠（外周縁部）
２３１  側板部
２３２  上側フランジ部
２３３  下側フランジ部
２３５  リブ（スライド部）
３３０  水切袖カバー
３４０  ガイド支持ブラケット
３４２ｃ        スリット
【図１】
0006622526.tif 000002
【図２】
0006622526.tif 000003
【図３】
0006622526.tif 000004
【図４】
0006622526.tif 000005
【図５】
0006622526.tif 000006
【図６】
0006622526.tif 000007
【図７】
0006622526.tif 000008
【図８】
0006622526.tif 000009
【図９】
0006622526.tif 000010
【図１０】
0006622526.tif 000011
【図１１】
0006622526.tif 000012
【図１２】
0006622526.tif 000013
【図１３】
0006622526.tif 000014
【図１４】
0006622526.tif 000015
【図１５】
0006622526.tif 000016